(57)【特許請求の範囲】
【請求項１】
合成樹脂製の背凭れ板の両側下部を背凭れ支持杆で支持された椅子の背凭れ装置であって、前記背凭れ板の上下中間部に左右に延びた開口を形成するとともに、該開口の中間部上下縁にそれぞれ突片を対向させて形成し、前記背凭れ板の上部が下部に対して変形しながら後傾した際に、両突片が当接してそれ以上の変形を規制することで、該背凭れ板の変形量を弾性復元可能な変形範囲に制限してなることを特徴とする椅子の背凭れ装置。
【請求項２】
前記両突片を、背凭れ面よりも後方へ傾斜させて形成している請求項１記載の椅子の背凭れ装置。
【請求項３】
前記突片を備えた開口を上下の複数箇所に形成してなる請求項１又は２記載の椅子の背凭れ装置。
【発明の詳細な説明】
【０００１】
【発明の属する技術分野】
本発明は、椅子の背凭れ装置に係わり、更に詳しくは背凭れ板を合成樹脂製で形成し、その弾性変形を利用して後傾する構造の椅子の背凭れ装置に関するものである。
【０００２】
【従来の技術】
従来、図４に示すように、座板１００の後部両側に立設した背凭れ支持杆１０１，１０１に合成樹脂製の背凭れ板１０２の両側下部を支持した構造の簡易椅子は各種提供されている。ここで、座り心地を改良するために、合成樹脂製で一体成形した背凭れ板１０２の上部１０３が下部１０４に対して変形して後傾するように、背凭れ板自体に弾力性を持たせたものが提供されている。
【０００３】
この場合、背凭れ板の最終後傾位置は、着座者の背中から作用する後方への荷重と、背凭れ板の弾性力との釣り合いで決まり、その位置、即ち背凭れ板の変形量は一定ではない。そのため、背凭れ板に過大な荷重が作用すると、背凭れ板の弾性復元可能な変形範囲、即ち降伏点を越え、永久変形して初期位置まで復元しなくなったり、破壊等の不具合が生じる。
【０００４】
もともと、背凭れ板は、弾性的に変形して後傾できるように、構造的強度は低く設定されている。そして、背凭れ板の永久変形を防止するために、構造的強度を高めると、固くなって簡単には後傾しなくなり、本来の目的を達成できないのである。即ち、従来の背凭れ板の構造では、弾性変形による後傾機能と永久変形を防止して耐久性を高めることを同時に満足させることは不可能であった。
【０００５】
【発明が解決しようとする課題】
そこで、本発明が前述の状況に鑑み、解決しようとするところは、合成樹脂製の背凭れ板が弾性変形して後傾する構造であるにも係らず、背凭れ板の永久変形を抑制して耐久性を高めることが可能な椅子の背凭れ装置を提供する点にある。
【０００６】
【課題を解決するための手段】
本発明は、前述の課題解決のために、合成樹脂製の背凭れ板の両側下部を背凭れ支持杆で支持された椅子の背凭れ装置であって、前記背凭れ板の上下中間部に左右に延びた開口を形成するとともに、該開口の中間部上下縁にそれぞれ突片を対向させて形成し、前記背凭れ板の上部が下部に対して変形しながら後傾した際に、両突片が当接してそれ以上の変形を規制することで、該背凭れ板の変形量を弾性復元可能な変形範囲に制限してなる椅子の背凭れ装置を構成した。
【０００７】
ここで、前記両突片を、背凭れ面よりも後方へ傾斜させて形成すると、背凭れ板の上部が開口に沿って弾性変形して後傾した際に、該変形部分よりも後方位置で上下突片が当接するので、それ以上の変形を確実に防止でき、更に衣服を両突片間に挟み込むことも防止できる。
【０００８】
また、前記突片を備えた開口を上下の複数箇所に形成すれば、一つの開口部分での背凭れ板の変形量を小さくして耐久性を高めることができ、しかも全体としての後傾角度を確保できるので好ましい。
【０００９】
【発明の実施の形態】
次に本発明の実施の形態を添付図面に基づき更に詳細に説明する。図１及び図２は本発明に係る背凭れ装置を用いた椅子を示し、図中符号１は脚部、２は座部、３は背凭れ支持杆、４は背凭れ板をそれぞれしめしている。
【００１０】
本発明に係る椅子は、脚部１の上端部に合成樹脂製の座板２を固定し、座板２の後部両側に立設した背凭れ支持杆３，３に合成樹脂製の背凭れ板４の両側下部を支持した構造のものである。ここで、前記座板２と背凭れ板４とは、合成樹脂製で一体成形したものであるが、座板２に関してはどのような材質でもまた構造であっても良い。
【００１１】
本発明は、前記背凭れ板４の上下中間部に左右に延びた開口５を形成するとともに、該開口５の中間部上下縁にそれぞれ突片６，６を対向させて形成し、前記背凭れ板４の上部７が下部８に対して変形しながら後傾した際に、両突片６，６が当接してそれ以上の変形を規制することで、該背凭れ板４の変形量を弾性復元可能な変形範囲に制限してなることを特徴としている。ここで、前記背凭れ支持杆３は、前記背凭れ板４の下部８にのみを直接支持している。
【００１２】
本実施形態では、前記背凭れ板４の上下中間部に、一つの横長の開口５を形成し、該開口５の左右中央部の上下縁に一対の突片６，６を対抗させて形成したが、開口５に複数対の突片６，６を形成しても良い。また、前記背凭れ板４の上下の複数箇所に、前記突片６，６を備えた開口５を形成しても良い。
【００１３】
前記突片６は、背凭れ板４の背凭れ面９よりも後方へ傾斜させて形成している。つまり、上部の突片６は、後方下方へ傾斜して延び、下部の突片６は、後方上方へ傾斜して延び、互いに先端が対向するように形成している。図２（ａ）に示した状態は、背凭れ板４に後傾力が作用してない場合を示し、前記両突片６，６間には所定の空隙１０が形成されている。そして、背凭れ板４に後傾力が作用すると、図２（ｂ）に示すように、背凭れ板４の上部７は下部８に対して開口５の部分で弾性変形しながら後傾し、やがて両突片６，６の先端同士が当接する。この両突片６，６が当接した状態になると、もはや背凭れ板４の上部７は後傾しなくなり、つまり開口５両側の連結部１１，１１の変形が規制される。この連結部１１の変形量を弾性復元可能な変形範囲に制限することによって、背凭れ板４の永久変形の問題は回避される。
【００１４】
また、前記両突片６，６の先端間の空隙１０の幅は、使用する樹脂材料の弾性特性に応じて設定することができ、またこの空隙１０の幅を調節することで、上部７の後傾角度の最大を規定することができる。前述のように両突片６，６を備えた開口５を上下方向に複数設ける場合には、一つの開口５における突片６，６の空隙１０の幅を小さくすれば、連結部１１の変形量をより小さくすることができるので、耐久性を更に高めることができる。
【００１５】
また、前記両突片６，６は、後方へ傾斜して形成しているので、背凭れ面９に沿って位置する着座者の衣服を後傾時に挟み込むことがないのである。尚、図３に示すように、前記開口５を有する背凭れ板４をクロスやレザーなどのシート１２で覆うことも好ましい。この場合、開口５が完全にシート１２で隠れるので、不意に突片６，６間に指を挟むこともなくなるのである。
【００１６】
【発明の効果】
以上にしてなる請求項１に係る発明の椅子の背凭れ装置は、合成樹脂製の背凭れ板の両側下部を背凭れ支持杆で支持された椅子の背凭れ装置であって、前記背凭れ板の上下中間部に左右に延びた開口を形成するとともに、該開口の中間部上下縁にそれぞれ突片を対向させて形成し、前記背凭れ板の上部が下部に対して変形しながら後傾した際に、両突片が当接してそれ以上の変形を規制することで、該背凭れ板の変形量を弾性復元可能な変形範囲に制限してなるので、合成樹脂製の背凭れ板が弾性変形して後傾する構造であるにも係らず、背凭れ板の永久変形を抑制して耐久性を高めることができる。
【００１７】
請求項２によれば、前記両突片を、背凭れ面よりも後方へ傾斜させて形成したので、背凭れ板の上部が開口に沿って弾性変形して後傾した際に、該変形部分よりも後方位置で上下突片が当接するので、それ以上の変形を確実に防止でき、更に衣服を両突片間に挟み込むことも防止できる。
【００１８】
請求項３によれば、前記突片を備えた開口を上下の複数箇所に形成すれば、一つの開口部分での背凭れ板の変形量を小さくして耐久性を高めることができ、しかも全体としての後傾角度を確保できる。
【図面の簡単な説明】
【図１】本発明に係る背凭れ装置を採用した椅子の斜視図である。
【図２】背凭れ板の縦断面図を示し、（ａ）は背凭れ板に後傾力が作用しない状態、（ｂ）は背凭れ板に後傾力が作用して上部が後傾した状態をそれぞれ示している。
【図３】背凭れ板をシートで外被した椅子の斜視図である。
【図４】従来の椅子の斜視図である。
【符号の説明】
１  脚部
２  座板
３  背凭れ支持杆
４  背凭れ板
５  開口
６  突片
７  上部
８  下部
９  背凭れ面
１０  空隙
１１  連結部
１２  シート
【図１】
0004534385.tif 000002
【図２】
0004534385.tif 000003
【図３】
0004534385.tif 000004
【図４】
0004534385.tif 000005